(57)【特許請求の範囲】
【請求項１】
一方の格子体の胴縁に接続するための第１接続部に回動部を第１固着具により固着し、他方の格子体の胴縁に接続するための第２接続部に前記回動部を第２固着具により固着してなる継ぎ手の、前記第１接続部と前記回動部との間、又は前記第２接続部と前記回動部との間に、一辺に継ぎ手取付片を、他辺に格子取付片を有する格子取付ブラケットを、前記継ぎ手取付片において前記第１固着具又は前記第２固着具により固着し、前記格子取付片に縦格子の一端部を結合可能にしてなることを特徴とする縦格子取付構造。
【請求項２】
継ぎ手の第１固着具及び第２固着具はビスであり、第１接続部と回動部及び第２接続部と前記回動部はそれぞれ前記ビスを中心に回転自在に結合されていることを特徴とする請求項１に記載の縦格子取付構造。
【請求項３】
格子取付ブラケットは側面形状がＬ字形に形成され、その一辺に継ぎ手取付片を、他辺に格子取付片を有し、前記継ぎ手取付片が第１接続部と回動部の間、又は第２接続部と前記回動部の間に介在させて垂直状態で固着され、前記格子取付片が水平状態で縦格子の一端部に結合されることを特徴とする請求項１又は２に記載の縦格子取付構造。
【請求項４】
請求項１、２又は３に記載された上下一対の継ぎ手を、それぞれの第１接続部を一つの格子体の胴縁に接続し、それぞれの第２接続部を他の格子体の胴縁に接続し、上下の前記継ぎ手の格子取付ブラケットの格子取付片を対向させ、その対向させた上下の格子取付片に縦格子の両端部を固定してあることを特徴とするフェンス。
【発明の詳細な説明】
【技術分野】
【０００１】
本発明は、フェンスにおける縦格子取付構造、とくに、フェンスの連結部に縦格子を取り付けるもの及び縦格子取付構造を用いるフェンスに関する。
【背景技術】
【０００２】
等しい長さの上下の胴縁と、これらの胴縁の間に一定の間隔をおいて配置された縦格子とによって構成された複数の格子体を連結して構成されるフェンスにおいては、連結される格子体の間に、格子体の縦格子間の間隔よりも大きな隙間が生じると、フェンスとしての連続性、統一性が乱れ、防犯性にも劣るので、その隙間にも縦格子を取り付けるための縦格子取付構造を備えたフェンスが、例えば、特許文献１，２に開示されている。
【０００３】
特許文献１に記載されたものは、格子体を連結する上下の連結具（継ぎ手）に垂直方向の支持軸を設け、それらの支持軸に縦格子の上端部及び下端部を直接に結合するものである。
特許文献２に記載されたものは、継ぎ手に格子取付ブラケットを固定し、その格子取付ブラケットに縦格子を取り付けるものである。
【特許文献１】特開平１０−２３８１７３号公報
【特許文献２】特開平１０−２４６０３６号公報
【発明の開示】
【発明が解決しようとする課題】
【０００４】
特許文献１の先行技術は、継ぎ手に、格子体に対する結合構造とは別に支持軸を設けるための加工が必要であるともに、継ぎ手に支持軸を取付ける作業が必要であるので、縦格子の取付けに製造コストと組立コストが余分にかかるという難点がある。
【０００５】
また、特許文献２の先行技術は、自在継ぎ手に縦格子取付ブラケットを固定し、その格子取付ブラケットに縦格子を取付けるから、この場合も自在継ぎ手に縦格子取付ブラケットを固定するためのビス孔形成など加工を別途必要とするとともに、縦格子結合後は、自在継ぎ手の回動が阻害されるという問題がある。
【０００６】
本発明は、上記の点に鑑みてなされたものであり、継ぎ手の格子体に対する取付けの他に、縦格子取付のための加工などを必要とせず、かつ、縦格子取付後の継ぎ手の回動を阻害しない縦格子取付構造を提供することを目的としている。
【課題を解決するための手段】
【０００７】
上記目的を達成するため、本発明に係る縦格子取付構造は、一方の格子体の胴縁に接続するための第１接続部に回動部を第１固着具により固着し、他方の格子体の胴縁に接続するための第２接続部に前記回動部を第２固着具により固着してなる継ぎ手の、前記第１接続部と前記回動部との間、又は前記第２接続部と前記回動部との間に、一辺に継ぎ手取付片を、他辺に格子取付片を有する格子取付ブラケットを、前記継ぎ手取付片において前記第１固着具又は前記第２固着具により固着し、前記格子取付片に縦格子の一端部を結合可能にしてなることを特徴としている。
継ぎ手の第１固着具及び第２固着具はビスであり、第１接続部と回動部及び第２接続部と前記回動部はそれぞれ前記ビスを中心に回転自在に結合されていることが望ましい。
上記縦格子取付構造は、格子取付ブラケットは側面形状がＬ字形に形成され、その垂直辺に継ぎ手取付片を、水平辺に格子取付片を有し、前記継ぎ手取付片が第１接続部と回動部の間、又は第２接続部と前記回動部の間に介在させて垂直状態で固着され、前記格子取付片が水平状態で縦格子の一端部に結合されることが望ましい。
【０００８】
また、本発明に係るフェンスは、上下一対の前記継ぎ手を、それぞれの第１接続部を一つの格子体の胴縁に接続し、それぞれの第２接続部を他の格子体の胴縁に接続し、上下の前記継ぎ手の格子取付ブラケットの格子取付片を対向させ、その対向させた上下の格子取付片に縦格子の両端部を固定してあることを特徴としている。
【発明の効果】
【０００９】
請求項１の発明によれば、格子取付ブラケットは、一辺に継ぎ手取付片を、他辺に格子取付片を有し、前記継ぎ手取付片において胴縁に接続される第１接続部と回動部との固着具又は第２接続部と回動部との固着具を共用して結合されるから、継ぎ手の胴縁に対する結合と同時に格子取付ブラケットの取付けも可能である。従って、施工性が向上される。そして、格子取付ブラケットの格子取付片に縦格子の一端部を固定可能であるから、縦格子の取付が容易であり、継ぎ手に縦格子取付のための別途の構造の付加を必要としない。従って、製造コストの増大を招かない。
継ぎ手の第１固着具及び第２固着具はビスであり、第１接続部と回動部及び第２接続部と前記回動部はそれぞれ前記ビスを中心に回転自在に結合されている場合は、継ぎ手は回動部の軸を中心とする回転と、各ビスを中心とする回転により、自在継ぎ手として作用する。しかも、格子取付ブラケットは、取付後の継ぎ手の回動を阻害しない。
格子取付ブラケットは側面形状がＬ字形に形成され、その一辺に継ぎ手取付片を、他辺に格子取付片を有し、継ぎ手取付片が垂直状態で継ぎ手に結合され、格子取付片が水平状態で縦格子の一端部に結合される場合は、上下の格子取付ブラケットを上下対称形に形成可能であるため、コスト低減が可能であり、また、フェンスの上下の胴縁と上下の格子取付ブラケットの縦格子取付片が平行になるので、意匠性に優れる。
【００１０】
また、請求項４の発明によれば、格子取付ブラケットは第１接続部と第１回動部との結合手段又は第２接続部と第２回動部との結合手段を共用して結合されるから、継ぎ手の回動を阻害しないので、フェンス取付時の格子体の整列方向又は傾斜角度の調整が妨げられことがない。
【発明を実施するための最良の形態】
【００１１】
次に、本発明の実施の形態について、図面を用いながら説明する。
図１は本発明に係る縦格子取付構造を用いたフェンスの斜視図、図２は本発明に係る縦格子取付構造の主要部である格子取付ブラケットを取り付けた状態の継ぎ手の展開図であり、(ａ)は平面図、(ｂ)は正面図、(ｃ)は右側面図、(ｄ)は底面図、(ｅ)は斜視図である。図３は、継ぎ手に縦格子を取り付けた状態を示す要部の正面図である。
【００１２】
図１において、左右の支柱Ｐ１，Ｐ２にはそれぞれ既知の格子体Ｇ１，Ｇ２が固定されている。各格子体Ｇ１，Ｇ２は、上下の胴縁１，２の間に縦格子３が等間隔で配置して構成されている。二つの格子体Ｇ１，Ｇ２は、胴縁１，２の端部同士が継ぎ手４，５により結合されている。また、後述されるように、上下の継ぎ手４，５に取り付けられた格子取付ブラケット６，７の間に好ましくは縦格子３と同一の外観を有する縦格子３’が取り付けられている。
【００１３】
上下の継ぎ手４，５は、上下対称形に形成されているので、その一方(４)のみについて、図２に基づいて説明する。継ぎ手４は、一方の格子体（例えばＧ１）の胴縁１と接続するための第１接続部１１と、他方の格子体（例えばＧ２）の胴縁１と接続するための第２接続部１２と、一端がビス等の第１固着具１３ａにより第１接続部１１に固着され、他端がビス等の第２固着具１３ｂにより第２接続部１２に固着された回動部１４とを有している。
【００１４】
第１接続部１１は、一方の格子体（例えばＧ１）の胴縁１の中空部に挿入されて、その胴縁１の外側からねじ込まれるビスにより固定される筒状又はブロック状の挿入部１１１と、その胴縁１の端面を被覆する平板部１１２とを一体に有する。第２接続部１２も第１接続部１１と類似の形状を有し、他方の格子体(例えばＧ２)の胴縁１の中空部に挿入されて、その胴縁１の外側からねじ込まれるビスにより固定される筒状又はブロック状の挿入部１２１と、その胴縁１の端面を被覆する平板部１２２とを一体に有する。
【００１５】
回動部１４は、一例として、円形ブロック部１４１とその円形ブロック部１４１の外周の一部から直径方向に伸びる腕部１４２とを一体に有する二つの部品を前記円形ブロック部１４１を重ね合わせ、それらの中心において軸１４３を貫通して、その軸１４３を中心として回転自在に結合してなっている。従って、この回動部１４は、１軸周りの継ぎ手を構成する。第１接続部１１と回動部１４の腕部１４２及び第２接続部１２と回動部１４の腕部１４２を結合するビス（１３ａ，１３ｂ）のねじ締め具合を加減して、そのビスを中心に回転自在に結合する場合は、継ぎ手４，５は、自在継ぎ手となり、格子体Ｇ１，Ｇ２の連結方向を３次元的に設定することができる。、
【００１６】
第１接続部１１と回動部１４との間、より正確には、第１接続部１１の平板部１１２と回動部１４の腕部１４２との間に、格子取付ブラケット６が取り付けられている。格子取付ブラケット６は、好ましくは側面形状がＬ字形をなし、垂直辺に継ぎ手取付片６１を、水平辺に格子取付片６２を有し、その継ぎ手取付片６１を平板部１１２と回動部１４の腕部１４２との間に介在させ、第１接続部１１と回動部１４とを結合する固着具１３ａを継ぎ手取付片６１の中央に形成されている孔に貫通して、第１接続部１１と回動部１４とを締結することにより取り付けられている。
【００１７】
格子取付ブラケット６の格子取付片６２には、その中央下面にねじ受け片６３がビスによる固着又は溶接などにより取り付けられている。
【００１８】
上記の構成を有する継ぎ手４は、図３の上側に示すように、第１接続部１１の挿入部１１１を一方の格子体(例えばＧ１)の上側の胴縁１の中空部に挿入し、平板部１１２でその胴縁１の端面を被覆した状態で胴縁１の外側から挿入部１１１にビスをねじ込む等して固定し、第２接続部１２も同様の要領で他方の格子体(例えばＧ２)の上側の胴縁１に固定して、両側の格子体の上側の胴縁１同士を連結する。
図３の下側に示すように、両側の格子体Ｇ１、Ｇ２の下側の胴縁２同士も、同じ要領で継ぎ手５により連結される。
【００１９】
上下の継ぎ手４，５で上下の胴縁同士を連結する前又は連結した後に、各継ぎ手４，５の格子取付ブラケット６、７の格子取付片６２、７２の対向面に縦格子３’の両端面を当接し、格子取付片６２、７２の対向面に設けてあるねじ受け片６３，７３をその縦格子の中に挿入し、縦格子に形成してある孔からビス８，９をねじ受け片６３，７３にねじ込んで固定する。この場合、格子取付ブラケット６、７の継ぎ手取付片６１，７１の固着具を貫通する孔を縦長孔にしてあるため、縦格子の高さ調整が可能である。ねじ受け片６３，７３は、縦格子３側に取付けておき、格子取付片６２、７２からビスをねじ込んでもよい。
【００２０】
上記実施の形態においては、格子取付ブラケット６、７を第１接続部１１と回動部１４との間に設けたが、第２接続部１２と回動部１４との間に取り付けることもできる。また、格子取付ブラケット６、７の側面形状は、図示のＬ字形に限定されないことは言うまでもない。
【００２１】
上記のように、格子取付ブラケット６、７は、接続部と回動部の間に、それらを固着するビスなどの固着具を共用して取り付けるので、継ぎ手に格子取付ブラケット６、７を取り付けるための付加構成を必要としないため、製造コストの増加や取付手間の増加がない。格子取付ブラケット６、７は、当然、継ぎ手の回動を阻害しない位置、例えば、継ぎ手の回動部１４の回動範囲以外の部分に取り付けられる。格子取付ブラケット６、７を側面形状Ｌ字形に形成した場合は、取り付けられた状態で水平辺は上下の胴縁１，２と平行であるので、意匠性に優れる。
【図面の簡単な説明】
【００２２】
【図１】本発発明に係る縦格子取付構造を用いたフェンスの斜視図。
【図２】本発明に係る縦格子取付構造の主要部である格子取付ブラケットを取り付けた状態の継ぎ手の展開図であり、(ａ)は平面図、(ｂ)は正面図、(ｃ)は右側面図、(ｄ)は底面図、(ｅ)は斜視図。
【図３】継ぎ手に縦格子を取り付けた状態を示す要部の正面図。
【符号の説明】
【００２３】
Ｇ１，Ｇ２      格子体
１、２          胴縁
３，３’        縦格子
４、５          継ぎ手
６，７          格子取付ブラケット
１１            第１接続部
１２            第２接続部
１３ａ，１３ｂ  ビス（固着具）
１４            回動部
１４１          円形ブロック部
１４２          腕部
【図１】
0005057384.tif 000002
【図２】
0005057384.tif 000003
【図３】
0005057384.tif 000004